(57)【要約】【課題】  かつら装着者の頭部とかつらベースとの間の温度上昇を抑制する効果が持続して得られると共に、長時間装着しても発汗量と雑菌の繁殖とを抑えて頭皮を清潔に保つことができるかつらを提供することを目的とする。【解決手段】  ネット部材２、３によって形成されたかつらベース１ａに毛髪７を植設してなるかつらあって、ネット部材２、３を構成するフィラメント８の外周表面に熱伝導性を有する熱伝導性化合物とバインダー樹脂との混合物を被覆した熱伝導層１１を形成したことを特徴とする。【選択図】図３
2010275648.tif 000002
【特許請求の範囲】
【請求項１】
ネット部材によって形成されたかつらベースに毛髪を植設してなるかつらあって、
前記ネット部材を構成するフィラメントの外周表面に熱伝導性を有する熱伝導性化合物とバインダー樹脂との混合物を被覆した熱伝導層を形成したことを特徴とするかつら。
【請求項２】
請求項１に記載のかつらにおいて、
前記熱伝導層は、前記かつらベースを形成する前記ネット部材の毛髪植設面側よりも頭部当接面側の厚さが厚くなるように形成されていることを特徴とするかつら。
【請求項３】
請求項１又は２に記載のかつらにおいて、
前記熱伝導性化合物は、シリル化処理無水ケイ酸、２−エチルヘキサン酸セチル、エチレンオキサイド、及びアルコール類を含んでいることを特徴とする請求項１に記載のかつら。
【請求項４】
請求項１から３のいずれか１項に記載のかつらにおいて、
前記熱伝導層の内側に、さらに抗菌剤とバインダー樹脂を混合して形成される抗菌剤層を備えていることを特徴とするかつら。
【請求項５】
請求項４に記載のかつらにおいて、
前記抗菌剤は、脱アセチル化キチン、ペリルアルデヒド、シオネール、ベルベリン、又はアロエチンから選ばれる少なくとも１種を含むことを特徴とするかつら。
【発明の詳細な説明】
【技術分野】
【０００１】
本発明は、かつらに関し、さらに詳しくは、かつらベースに熱伝導性を有する熱伝導性化合物をコーティングすることで、かつら装着者の頭部とかつらベースとの間の温度上昇を抑制する効果を持続して得ることを可能とするかつらに関する。
【背景技術】
【０００２】
従来、かつらは、例えば薄膜状のシート部材や網状のネット部材を用いたかつらベースに、天然毛髪や人工毛髪などの毛髪を植設することにより作製されている。最近では、装着時の快適性が要望されていることから、透湿性に優れるネット部材で作製されることが多い。しかし、通気性の高いネット部材で作製したかつらであっても、かつらベースに毛髪が植設されると、かつら装着時に頭皮から発する熱を効率よく発散することが出来ずに頭部の蒸れやベトつきが起こり、快適にかつらを装着することができなかった。また、頭部とかつらベースとの間に熱がこもりやすくなることで、雑菌が繁殖しやすくなり、頭皮を清潔に保つためには、かつらを頭部から取り外して頻繁に洗浄することが必要となる。さらに、かつらを頻繁に洗浄しておかないと頭皮を清潔に保てず、皮膚病の一因となることもある。そのため、例えば、特許文献１に開示されているような熱伝導機能を利用した繊維を用いてかつらベースを作成することが考えられる。また、特許文献２や特許文献３においては金属酸化物や糖アルコールを利用したかつらが提案されている。
【先行技術文献】
【特許文献】
【０００３】
【特許文献１】特開平６−３１３２６７号公報
【特許文献２】特許第２９７７７２３号明細書
【特許文献３】特開２００５−２９０５９９号公報
【発明の概要】
【発明が解決しようとする課題】
【０００４】
しかしながら、特許文献１の熱伝導機能を利用した繊維は、浸漬、又は塗布などの手段により、単層の被膜で繊維に熱伝導性化合物を固着したものであるが、この繊維はかつらとしての使用を想定していないので、かつらとして加工した場合には、かつらに植設した多数の毛髪のために通気性や放熱性が悪くなるおそれがある。また、頭皮から発する汗や皮脂などが溜まって汚れることで繊維の劣化が早まり、熱伝導性化合物が剥離しやすく耐久性が劣ることが懸念される。さらに、熱伝導性化合物の層のみでは長時間に渡り持続的に温度上昇抑制の効果を得ることができないおそれがあるという問題があった。
【０００５】
また、特許文献２の金属酸化物を付加したかつらは、酸化銅や酸化亜鉛などの物質が汗等でわずかながら溶け出して皮膚と接触することにより金属アレルギーを引き起こすというおそれがあった。
【０００６】
さらに、特許文献３の糖アルコールを付加したかつらは、固形化した糖アルコールが湿気などを吸収して溶解する際に熱を奪う吸熱反応によって温度上昇を抑制するので、吸熱反応が起った後は効果が低下して持続しないという問題がある。また、マイクロカプセルなどで糖アルコールを包含する場合においては、再び温度上昇抑制の効果を得るために、一旦、頭部からかつらを取り外してかつらを乾燥させ、マイクロカプセル中の溶解した糖アルコールを固形化する必要があるので、非常に手間がかかり、かつらを長時間装着する場合には温度上昇抑制の効果が著しく低下するという問題がある。さらに、糖アルコールをかつらベースに付着すると、ネット部材の網目が目詰まりし易くなるため透湿性が低下して温度上昇抑制の効果も低下してしまうという問題もあった。
【０００７】
本発明は、上記問題点に鑑みてなされたものであり、かつらベースの表面に熱伝導性を有する熱伝導性化合物とバインダー樹脂との混合物を被覆した熱伝導層を形成することで、かつら装着者の頭部とかつらベースとの間の温度上昇を抑制する効果が持続して得られるかつらを提供することを目的とする。
【０００８】
また、本発明は、かつらを長時間装着しても発汗量と雑菌の繁殖とを抑えて頭皮を清潔に保つことができるかつらを提供することを目的とする。
【課題を解決するための手段】
【０００９】
上述の目的を達成するために、請求項１に記載の本発明は、ネット部材によって形成されたかつらベースに毛髪を植設してなるかつらあって、ネット部材を構成するフィラメントの外周表面に熱伝導性を有する熱伝導性化合物とバインダー樹脂との混合物を被覆した熱伝導層を形成したことを特徴とする。
【００１０】
上述の目的を達成するために、請求項２に記載の本発明は、請求項１に記載のかつらにおいて、熱伝導層は、かつらベースを形成するネット部材の毛髪植設面側よりも頭部当接面側の厚さが厚くなるように形成されていることを特徴とする。
【００１１】
上述の目的を達成するために、請求項３に記載の本発明は、請求項１又は２に記載のかつらにおいて、熱伝導性化合物は、シリル化処理無水ケイ酸、２−エチルヘキサン酸セチル、エチレンオキサイド、及びアルコール類を含んでいることを特徴とする。
【００１２】
上述の目的を達成するために、請求項４に記載の本発明は、請求項１から３のいずれか１項に記載のかつらにおいて、熱伝導層の内側に、さらに抗菌剤とバインダー樹脂を混合して形成される抗菌剤層を備えていることを特徴とする。
【００１３】
上述の目的を達成するために、請求項５に記載の本発明は、請求項４に記載のかつらにおいて、抗菌剤は、脱アセチル化キチン、ペリルアルデヒド、シオネール、ベルベリン、又はアロエチンから選ばれる少なくとも１種を含むことを特徴とする。
【発明の効果】
【００１４】
本発明に係るかつらによれば、かつらベースの表面に形成した熱伝導性化合物を有する熱伝導層が頭部で発生した熱を捕捉して放熱するいわゆる吸熱と放熱を行うことによりかつら装着者の頭部とかつらベースとの間の温度上昇を持続して抑制することができるという効果がある。
【００１５】
また、本発明に係るかつらによれば、かつらベース表面側と裏面側とで熱伝導層の厚さを変えることで、かつら装着者の頭部とかつらベースとの間の温度上昇を抑制する効果がより顕著となり、且つその効果がさらに持続して得られるので、かつらを長時間装着しても、頭部とかつらベースとの間に熱がこもらずに快適にかつらを装着できるという効果がある。
【００１６】
さらに、本発明に係るかつらによれば、抗菌剤層を設けることによって発汗量と雑菌の繁殖とを抑え、頭皮を清潔に保つことができるという効果がある。
【図面の簡単な説明】
【００１７】
【図１】本発明に係るかつらの一実施形態を示す平面図である。
【図２】図１に示すかつらの横断面図である。
【図３】フィラメントの外周面に形成された熱伝導層と抗菌剤層を示す断面図である。
【発明を実施するための形態】
【００１８】
以下、本発明に係るかつらの好ましい一実施形態について添付図面を参照しながら詳細に説明する。図１は本発明に係るかつらの一実施形態を示す平面図、図２は図１に示すかつらの横断面図である。
【００１９】
図示されたかつら１は、概略として、かつら装着者の頭部形状に即して加工された本体用ネット部材２と、かつら装着者の頭部に止着するための止着手段を設けるために本体用ネット部材２の周縁部に縫着された止着台座用ネット部材３によって形成されたかつらベース１ａを備えて構成されている。本体用ネット部材２及び止着台座用ネット部材３の素材は特に限定されるものではないが、形状安定性に優れるポリエステルで形成することが好ましい。
【００２０】
図２に示すように、かつらベース１ａは、頭部形状を模した略お椀のような形をしており、凹状面側がかつら装着時に頭部と接する面（以下、「頭部当接面側５」と称す）となり、凸状面側が毛髪の植設される面（以下、「毛髪植設面側６」と称す）となる。かつら１は、かつらベース１ａに天然毛髪もしくは人工毛髪を公知の方法で植設することにより構成されている。尚、本体用ネット部材２はかつらベース１ａ全体を構成し、止着台座用ネット部材３はかつらベース１ａの全周縁部を所定幅で構成し、また、毛髪７はかつらベース１ａ全体に植設されているが、図１及び図２では便宜上一部のネット部材及び毛髪７のみを図示している。
【００２１】
本体用ネット部材２及び止着台座用ネット部材３は、モノフィラメントをほぼ平面に編成したものや複数本のモノフィラメントを撚り合わせて１本のフィラメントとしたものをほぼ平面に編成してなるものであるが、かつらベース１ａはこれらのフィラメント８の外周表面に熱伝導性を有する熱伝導性化合物とバインダー樹脂との混合物を被覆した熱伝導層１１が形成されている。そして、本実施形態においては、図３に示すように、熱伝導層１１の内側に、さらに、抗菌剤とバインダー樹脂を混合した抗菌剤層１０が形成されている。尚、図３では便宜上一本のモノフィラメント８のみを図示しているが、フィラメント８は複数本のモノフィラメントを撚り合わせて１本のフィラメントとしたものである場合もある。
【００２２】
ここで、本願発明に係るかつらが継続して装着しても頭部との間に熱がこもらない原理について説明する。上述したような構成を備えたかつらベース１ａによって形成されるかつら１を装着した場合、装着者の頭部で発生した熱をかつらベース１ａに形成した熱伝導層１１の熱伝導性化合物が奪い（吸熱作用）、その奪った熱は熱伝導性化合物を固着させたバインダー樹脂、さらには抗菌剤と抗菌剤を固着させたバインダー樹脂によって形成される抗菌剤層を伝わってかつらベース１ａの外に発散させられる（放熱作用）。このような作用がかつらを被着している間中間断なく行われるので、かつらベース１ａと頭部との間に熱がこもることがないのである。
【００２３】
本体用ネット部材２及び止着台座用ネット部材３を構成するフィラメント８に熱伝導性化合物とバインダー樹脂との混合物を被覆した熱伝導層１１を直接設けた構造の場合、頭部で発生した熱の移動（吸熱及び放熱）はスムーズに行うことができる。つまり、吸熱及び放熱機能を効果的に得るためには、熱伝導層１１が頭部や外気などに接するようにしてかつらベース１ａの表面上に形成されることが必要である。しかし、かつら１のように長時間頭部に接触した状態が続く場合には頭皮の汗や皮脂などが溜まって汚れや雑菌が繁殖することが懸念される。そのため、本体用ネット部材２及び止着台座用ネット部材３を構成するフィラメント８の外周表面上に抗菌剤とバインダー樹脂との混合物によって形成される抗菌剤層１０を設け、その上に熱伝導性化合物とバインダー樹脂との混合物によって形成される熱伝導層１１を積層した構造とすることが好ましい。かつらのように長時間頭部に接触した状態が続く場合には、捕捉した熱を効率良く放熱することが出来なくなって、かつらに熱が蓄積してかつらと頭部との隙間の温度が上昇して蒸れやベタつきが起こり易いが、本発明に係るかつら１のように本体用ネット部材２及び止着台座用ネット部材３を構成するフィラメント８と、熱伝導性化合物とバインダー樹脂とによって形成される熱伝導層１１の間に、抗菌剤とバインダー樹脂によって形成される抗菌剤層１０を介在させると、抗菌剤層１０が熱を伝える媒介のような役割も果たすので、熱伝導層１１によって捕捉した熱がスムーズに抗菌剤層１０に移動し、吸熱作用と放熱作用のバランスが崩れることなく長時間頭部に接触した状態が続いても頭部の蒸れやベタつきが起き難い。また、抗菌剤層１０には当然ながら抗菌剤が配合されているので雑菌の繁殖が抑えられてかつらをより清潔な状態に保つことができるという効果ももちろん得ることができる。
【００２４】
ここで、熱伝導性化合物としては、例えば、シリル化処理無水ケイ酸、２−エチルヘキサン酸セチル、エチレンオキサイド、及びアルコール類の混合物がある。具体的には、大きさ約５〜１０ｎｍで多孔質のシリル化処理無水ケイ酸に２−エチルヘキサン酸セチル、エチレンオキサイド、及びアルコール類が吸着した状態のものであり、マイクロカプセルで包含された従来タイプのように、マイクロカプセルが割れてしまった後に効果が失われるということもなく、吸熱及び放熱機能を持続して得ることができる。
【００２５】
また、熱伝導性化合物単独では本体用ネット部材２及び止着台座用ネット部材３を構成するフィラメント８への固着力が弱いので、フィラメント８に熱伝導性化合物を固着させるためのバインダーとなる樹脂が必要となる。バインダーとなる樹脂としては、例えば、ウレタン系樹脂、アクリル系樹脂やメラミン系樹脂などが良い。洗濯耐久性、接着性、さらには耐加水分解性などを考慮すると、ウレタン系樹脂が好ましい。本発明に係るかつらにおいて使用されるウレタン系樹脂は、ジイソシアネートとポリカーボネートジオールとを重合させたカーボネート系ウレタン樹脂が用いられるが、さらに固着力を高めるために、上記ウレタン樹脂にカルボジイミド系などの架橋剤を添加してもよい。
【００２６】
一方、抗菌剤層１０に用いられる抗菌剤としては、頭皮にアレルギー反応などの悪影響を及ぼすことのない天然由来の物質が適しており、脱アセチル化キチン、ペリルアルデヒド、シオネール、ベルベリン、さらにはアロエチンなどの有機天然系の抗菌剤から選択されることが好ましい。尚、抗菌剤層１０を形成する物質としては、柔軟性、または保湿性などを有する物質を用いることもできるが、本発明の目的である、雑菌などの繁殖を抑えて頭皮を清潔に保つことで、快適にかつらを装着することを達成するためには、抗菌性のある物質を用いることが好ましい。この抗菌剤を本体用ネット部材２及び止着台座用ネット部材３を構成するフィラメント８に固着するには、熱伝導性化合物の固着と同様に、バインダーとなる樹脂、例えば、ポリグリセロールポリグルシジルエーテルを、乳酸を分散剤として混合してフィラメント８に固着させる。
【００２７】
本体用ネット部材２及び止着台座用ネット部材３を構成するフィラメント８の外周表面上に形成される抗菌剤層１０の厚さは、約０．１μｍ〜１．０μｍの範囲が好ましく、抗菌剤層１０が０．１μｍ未満の場合には、抗菌剤層１０に配合される抗菌剤の量が少なくなることから、雑菌の繁殖を抑えることが難しくなり、かつら１を清潔な状態に保つ効果が得られなくなるおそれがある。また、抗菌剤１０が１．０μｍを超えると、かつらベース１ａの風合いが硬くなってしまい、かつら装着時のフィット感が低下するおそれがある。
【００２８】
一方、熱伝導層１１の厚さは、かつら装着者の状況などによって変更することができるが、頭部当接面側５と毛髪植設面側６とで異なるように形成することが好ましい。具体的には、頭部当接面側５の厚さは２．０〜６．０μｍの範囲、毛髪植設面側６の被膜層の厚さは１．５〜４．５μｍの範囲とし、且つ、頭部当接面側５と毛髪植設面側６との被膜層の厚さの比率が１：０．７〜０．８の範囲となるようにするとよい。熱伝導層１１の頭部当接面側５の被膜層の厚さを毛髪植設面側６の厚さよりも厚く構成することによって、頭部で発生した熱をより多く補足し、且つ捕捉した熱を効率良く移動させることが出来るので、吸熱作用と放熱作用とのバランスが崩れず、頭部の蒸れやベタつきが起こり難くなるからである。
【００２９】
熱伝導層１１の頭部当接面側５及び毛髪植設面側６の被膜層の厚さが上記厚さの範囲に満たない場合には、頭部で発生した熱を捕捉し、且つ、捕捉した熱を効率良く移動させる機能が低下してしまうおそれがある。一方、熱伝導層１１の頭部当接面側５及び毛髪植設面側６の被膜層の厚さが上記厚さの範囲を超える場合には、かつらベース１ａの風合いが硬くなってしまい、かつら装着時のフィット感が低下するおそれがある。
【００３０】
〔かつらの製造〕
次に、上記した本発明に係るかつらの一実施形態の製造方法について説明する。
【００３１】
はじめに、第一工程として、熱伝導性化合物とバインダー樹脂とを混合して熱伝導層１１を形成するための熱伝導性溶液を作製する。熱伝導性化合物は、シリル化処理無水ケイ酸、２−エチルヘキサン酸セチル、エチレンオキサイド、及びアルコール類が混合物された株式会社祥光化学研究所製のマーブルクールＳＣ５０を使用し、バインダー樹脂は、カーボネート系ウレタン樹脂として大日精化工業株式会社製のレザミンＤ−６３００を使用し、カルボジイミド系架橋剤としてはレザミンＤ−５２を使用する。具体的には、４０℃の温水７７．９重量％に、マーブルクールＳＣ５０を８．０重量％、及びレザミンＤ−６３００を１３．３重量％混合させた後に、レザミンＤ−５２を０．８重量％加えて熱伝導性溶液を作製する。
【００３２】
第二工程として、かつらベース用１ａの本体用ネット部材２及び止着台座用ネット部材３を構成するフィラメント８に抗菌剤とバインダー樹脂との抗菌剤層１０を形成する。本体用ネット部材２及び止着台座用ネット部材３には、ポリエステル製の太さ４０〜６０μｍのモノフィラメントを３０μｍ〜２５０μｍの間隔をあけて平面的にループ状に編成したものが使用される。まず、水９８．９９重量％に、脱アセチル化キチン０．５重量％と、乳酸０．５重量％と、ポリグリセロールポリグルシジルエーテル０．０１重量％とを混合させて抗菌剤溶液を作製する。次に、上記抗菌剤溶液中に本体用ネット部材２及び止着台座用ネット部材３を構成するフィラメント８を浸漬させてから、マングルにより余分な抗菌剤溶液を絞りとり、１５０℃で１分３０秒間乾燥させる。
【００３３】
第三工程として、上述の抗菌剤とバインダー樹脂との抗菌剤層１０を形成した本体用ネット部材２及び止着台座用ネット部材３に、熱伝導性溶液を塗布して熱伝導性化合物とバインダー樹脂との混合物を被覆した熱伝導層１１を形成する。まず、かつら装着者の頭部形状を模して作製した雄型の石膏を２個用意し、それぞれ本体用ネット部材２と止着台座用ネット部材３とを張り付け固定する。次に、上述の第一工程で作製した熱伝導性溶液を本体用ネット部材２と止着台座用ネット部材３とを張り付けた上記石膏型の上からそれぞれ満遍なく塗布し、１００℃で２時間乾燥させてから、１５０℃で１０分間の熱処理を行ない、本体用ネット部材２及び止着台座用ネット部材３に熱伝導層１１を形成させた後、石膏から取り外す。尚、熱伝導層１１を頭部当接面側５の被膜層の厚さを毛髪植設面側６の厚さよりも厚く形成するにはフィラメント８に塗布した熱伝導性溶液がフィラメント８の下側に雫のように溜まることを利用する。そして、１回当たりの塗布量や塗布回数などを適宜調整することで所望の厚みの熱伝導層１１を形成することができる。
【００３４】
第四工程として、本体用ネット部材２と止着台座用ネット部材３とを一体化させてかつらベース１ａを作製する。まず、石膏に本体用ネット部材２を張り付けてから、止着台座用ネット部材３を重ね合わせる。次に、かつらベース１ａの外周縁部から１ｍｍ内側と、外周縁部から２０ｍｍ内側の位置とを全周にわたり縫着してから不要ネットを切除する。
【００３５】
第五工程として、かつらベース１ａに毛髪７を植設する。毛髪７の植設は、まず、頭部形状の雄型にかつらベース１ａを合わせて固定する。次に、本体用ネット部材２及び止着台座用ネット部材３の毛髪植設面側６から鉤針を挿入してフィラメント８を掬い上げた後、鉤針の鉤部に毛髪７を引っ掛けて結ぶ。植設する毛髪７は、天然毛髪もしくは人工毛髪であり、毛髪７の中央部を二つ折りにした折れ部をネット部材に結びつけることで植設される。
【００３６】
（評価方法）
〔温度測定〕
安立計器株式会社製の温度測定用センサを使用し、２５℃、６５％ＲＨに設定した試験室中で、前額部にセンサの先端を貼着してから、センサを被覆するように３．０ｃｍ×３．０ｃｍに切断採取した試験片を貼着した。次に、２５℃〜２７℃の範囲で室温を変化させながら、各試験片の温度変化を測定した。上記の測定を５回繰り返し、平均値を算出した。また、各試験片の洗濯を５０回繰り返した後、同様に温度変化を測定した。
〔透湿度測定〕
試験室の温湿度を２５℃、９０％ＲＨに設定し、試験片を４８時間放置した後、ＪＩＳ  Ｋ７１２９に準拠したカップ法に則って測定した。
〔洗濯試験〕
３０℃の温水２リットルにシャンプー３ｇを溶解させてから試験片を浸し、試験片の表面側及び裏面側を均等に３０秒間押し洗いした後、排水した。次に、あらためて３０℃の温水２リットルで、３０秒間試験片をすすぎ、タオルで試験片を挟み込むようにして水分を除去した後、乾燥機で６０℃、１０分間の乾燥を行なった。
【実施例】
【００３７】
上述したかつらの製作工程に基づいて、以下に示す条件で、図１に示すようなかつら１を作製した。
かつらの大きさ：
前額部から後頭部方向        ：１８ｃｍ
右側頭部から左側頭部方向    ：１６ｃｍ
面積                        ：２８８ｃｍ２
頭部当接面側の厚さ          ：３．３６μｍ
毛髪植設面側の厚さ          ：２．５５μｍ
【００３８】
〔比較例１〕
比較例１のかつらは、フィラメント８には何も物質が付着していない以外は、実施例と同様にした。
【００３９】
〔比較例２〕
比較例２のかつらは、抗菌剤とバインダー樹脂との抗菌剤層が単層で形成されているフィラメント８を使用した以外は、実施例と同様にした。
【００４０】
〔比較例３〕
比較例３のかつらは、マーブルクールＳＣ５０用のバインダー樹脂層のみが単層で形成されているフィラメント８を使用した以外は、実施例と同様にした。
【００４１】
〔比較例４〕
比較例４のかつらは、バインダー樹脂を混合させずに、マーブルクールＳＣ５０のみが単層で形成されているフィラメント８を使用した以外は、実施例と同様にした。
【００４２】
〔結果〕
表１に示すように、実施例のかつらは、当初室温２５．０℃において３３．２℃であり、何も付加していない比較例１よりもやや高い温度を示したが、実施例のかつらは、時間の経過と共に変化する室温中で６０分間の継続した装着において３２．８℃と一番低い温度を示した。これに対して、比較例１のかつらは当初においては３２．９℃と低い温度であったが６０分経過後では３３．８℃であった。これにより、実施例のかつらは、かつら装着者の頭部とかつらベース間の温度上昇を持続して抑制することで、頭部とかつらベースとの間に熱がこもらずに発汗量を抑えることができ、頭皮を清潔に保ち、快適にかつらを装着ができることが確認された。また、表２に示すように、洗濯を繰り返し行なってもその効果は変わらず、快適にかつらを装着することができた。
【００４３】
【表１】
2010275648.tif 000003
【００４４】
【表２】
2010275648.tif 000004
【００４５】
これに対し、比較例１のかつらは、物質が何も付着していないフィラメント８を使用してかつらを作製しているので、表１に示すように、実施例のかつらよりも貼着直後の温度は低く、また表３に示すように透湿性も優れている。しかし、表１及び表２に示すように、時間の経過と共に測定室内の温度変化に応じて温度上昇を抑制することができなくなり、次第に頭部とかつらベースとの間に熱がこもってしまい、発汗量が多くなり、頭皮を清潔に保ち、快適にかつらを装着することができなかった。
【００４６】
【表３】
2010275648.tif 000005
【００４７】
また、比較例２のかつらは、抗菌剤層のみが単層で形成されているフィラメント８を使用してかつらを作製しているので、雑菌などの繁殖を抑制することはできるが、熱伝導層１１がなく、頭部で発生した熱を捕捉できないので、頭部とかつらベース１ａとの間の温度上昇を抑制することができずに、発汗量が多くなり、快適にかつらを装着することができなかった。
【００４８】
また、比較例３は、熱伝導層１１を形成するためのバインダー樹脂のみが単層で形成されているフィラメント８を使用してかつらを作製しているので、抗菌剤とそのバインダー樹脂及び熱伝導化合物が付着していない。そのため、放熱はするが、頭部で発生した熱を捕捉できない（吸熱ができない）ので頭部とかつらベース間の温度上昇を抑制することができずに、熱がこもり発汗量が多くなった。加えて、雑菌などの繁殖を抑制することができないので、頭皮を清潔に保ち、快適にかつらを装着することができなかった。
【００４９】
また、比較例４は、熱伝導性化合物のみが単層で形成されているフィラメント８を使用してかつらを作製しているが、表１及び表２に示すように、比較例１とほぼ同様の結果となったことから、熱伝導性化合物単独ではフィラメント８への固着力が弱く、熱伝導性化合物がフィラメント８から剥離したと考えられる、そのため、時間の経過と共に測定室内の温度変化に応じた温度上昇を抑制することができずに、頭部とかつらベースとの間に熱がこもってしまい、発汗量が多くなり、快適にかつらを装着することができなかった。
【００５０】
以上のように、本発明の好ましい実施形態について詳述したが、本発明は係る特定の実施形態に限定されるものではなく、特許請求の範囲に記載された本発明の要旨の範囲内において、種々の変形・変更が可能であることはいうまでもない。
【符号の説明】
【００５１】
１    かつら
１ａ  かつらベース
２    本体用ネット部材
３    止着台座用ネット部材
５    頭部当接面側
６    毛髪植設面側
７    毛髪
８    フィラメント
１０  抗菌剤層
１１  熱伝導層
【図１】
2010275648.tif 000006
【図２】
2010275648.tif 000007
【図３】
2010275648.tif 000008